(57)【要約】【課題】  外科用装置を確実に封止するためのシステム及び装置、具体的には、駆動軸に連結される駆動軸管を含む外科用装置を提供する。【解決手段】  駆動軸管が駆動軸に連結されるため、駆動軸管は、カニューレを取り付けたモータ軸の回転速度未満である、駆動軸と同じ回転速度で回転する。駆動軸管は、カニューレを取り付けたモータ軸を通って延在し得る。加えて、封止部材は、（より速く回転する）モータ軸とモータとの間ではなく、（遅く回転する）駆動軸管とモータとの間で封止するように提供され得る。封止部材は、カニューレを取り付けたモータ軸を越えて延在する駆動軸管の一部分の外側表面とモータとの間に画定される、間隙内に提供され得る。【選択図】  図１
2014004374.tif 000002
【特許請求の範囲】
【請求項１】
外科用装置であって、
カニューレを取り付けたモータ軸を備えるモータであって、前記カニューレを取り付けたモータ軸が近位端及び遠位端を有する、モータと、
ギヤボックス装置と、
前記ギヤボックス装置を介して前記カニューレを取り付けたモータ軸に連通接続される駆動軸であって、前記ギヤボックス装置から遠位に延在し、前記カニューレを取り付けたモータ軸が前記ギヤボックス装置へと遠位に延在し、前記カニューレを取り付けたモータ軸及び前記駆動軸が、共通の回転軸を有する、駆動軸と、
前記ギヤボックス装置から前記カニューレを取り付けたモータ軸を通り、前記カニューレを取り付けたモータ軸の前記近位端を越えて近位に延在する、前記駆動軸に連結される駆動軸管と、
前記カニューレを取り付けたモータ軸の前記近位端に隣接して配置される封止部材であって、前記駆動軸管と前記モータとの間に封止を提供する、封止部材と、を備える、外科用装置。
【請求項２】
前記カニューレを取り付けたモータ軸の前記近位端に隣接して配置される支持部材を更に備え、前記駆動軸管が、空隙が前記駆動軸管と前記カニューレを取り付けたモータ軸との間に提供されるように、前記支持部材上に装着される、請求項１に記載の外科用装置。
【請求項３】
前記ギヤボックス装置が、前記カニューレを取り付けたモータ軸のより高い回転速度を前記駆動軸のより低い回転速度に変換するように構成される、請求項１に記載の外科用装置。
【請求項４】
前記駆動軸管が、前記駆動軸管が前記駆動軸の前記より低い回転速度で回転するように構成されるように、前記駆動軸に連結される、請求項３に記載の外科用装置。
【請求項５】
前記駆動軸管及び前記駆動軸が、前記駆動軸管が前記駆動軸の前記より低い回転速度で回転するように構成されるように、単一片の材料から形成される、請求項３に記載の外科用装置。
【請求項６】
前記封止部材の少なくとも一部分が、前記駆動軸管の外側表面に接触する、請求項１に記載の外科用装置。
【請求項７】
前記封止部材がコンセントリックリング及びリップを備え、前記リップが前記コンセントリックリングから半径方向に延在し、前記コンセントリックリングが前記駆動軸管の外側表面の周囲に配設され、前記リップの少なくとも一部分が前記駆動軸管の前記外側表面に接触する、請求項６に記載の外科用装置。
【請求項８】
外科用装置とともに使用するための封止システムであって、前記外科用装置が、ギヤボックス装置を介して駆動軸に連通接続されるカニューレを取り付けたモータ軸を有するモータを含み、前記駆動軸が、前記ギヤボックス装置から遠位に延在し、前記カニューレを取り付けたモータ軸が、前記ギヤボックス装置へと遠位に延在し、前記封止システムが、
前記カニューレを取り付けたモータ軸を通って延在する、前記駆動軸に連結される細長い駆動軸管と、
前記細長い駆動軸管の少なくとも一部分と接触して配設される封止部材であって、前記細長い駆動軸管が、前記駆動軸の回転速度で回転するように構成される、封止部材と、を備える、封止システム。
【請求項９】
前記カニューレを取り付けたモータ軸が近位端及び遠位端を有し、前記細長い駆動軸管の少なくとも一部分が、前記カニューレを取り付けたモータ軸の前記近位端を越えて延在し、前記封止部材が、前記カニューレを取り付けたモータ軸の前記近位端を越えて延在する前記細長い駆動軸管の前記一部分と接触して配設される、請求項８に記載の封止システム。
【請求項１０】
前記封止部材がコンセントリックリング及びリップを備え、前記リップが前記コンセントリックリングから半径方向に延在し、前記コンセントリックリングが前記細長い駆動軸管の外側表面の周囲に配設され、前記リップの少なくとも一部分が前記細長い駆動軸管の前記外側表面に接触する、請求項８に記載の封止システム。
【発明の詳細な説明】
【背景技術】
【０００１】
医療環境で使用される動力工具（即ち、外科用動力工具）の信頼性のある封止は重要である。例えば、動力工具の滅菌を確実にするために、信頼性のある封止が必要である。具体的には、患者を汚染することを阻止するために、体液等の液体が動力工具の内部構成要素の中に漏出することは阻止されなければならない。加えて、動力工具の信頼性を確実にするために、信頼性のある封止が必要である。オートクレーブ内での滅菌中、動力工具は、高温及び高圧に曝露される。したがって、湿気が動力工具の内部構成要素内に漏出することを阻止し、特に電気構成部品への被害を防止するために、信頼性のある封止が必要とされる。
【０００２】
医療環境で使用される動力工具用の様々な駆動構成がある。いくつかの構成において、動力工具は、インラインのモータ及び駆動軸を有する。換言すれば、モータ及び駆動軸は、共通の回転軸を共有する。これは、図４に示され、モータ４０２が、ギヤボックス装置４０４を介して駆動軸４０８に連通接続されるモータ軸４０６を駆動する。図４に示されるように、モータ軸４０６及び駆動軸４０８は、共通の回転軸４０１を共有する。加えて、動力工具は、しばしば、Ｋワイヤを収納することを要し、Ｋワイヤは、典型的には動力工具自体よりも長い。結果的に、モータ及び駆動軸は、カニューレを取り付けられるか、又はＫワイヤを収納するための中空のチャネルを有する。
【０００３】
流体が内部構成要素（モータ４０２等）の中に漏出することを阻止するために、動力工具に、モータ軸４０６と固定子との間にリップ封止４１２Ａ及び４１２Ｂが提供される。リップ封止４１２Ａ及び４１２Ｂは、モータ軸４０６の反対側端部に提供される。加えて、モータ軸４０６及び駆動軸４０８が異なる回転速度で回転するため、間隙がモータ軸４０６と駆動軸４０８との間に提供される。リップ封止４１２Ｂは、流体が間隙内に漏出することを阻止する。
【発明の概要】
【発明が解決しようとする課題】
【０００４】
モータ軸に対するリップ封止を提供するとき、動力工具内に信頼性のある封止を提供することは困難である。具体的には、モータ軸は、典型的に、所望の出力電力を提供するために、速い速度（例えば、＞１５，０００ＲＰＭ）で回転するように構成される。しかし、リップ封止の信頼性及び封止性は、モータ軸の周速に依存する。結果的に、リップ封止の信頼性は、より速い速度では低下する。加えて、動力損失がモータ軸の周速と不釣り合いに増大する。したがって、動力工具の信頼性のある封止が必要とされる。
【課題を解決するための手段】
【０００５】
動力工具内のモータ保護を提供するためのシステム及び装置が本明細書に記載される。本システム及び装置は、外科用装置を確実に封止するように使用され得る。具体的には、駆動軸に連結される駆動軸管を含む外科用装置が開示される。駆動軸管が駆動軸に連結されるため、駆動軸管は、カニューレを取り付けたモータ軸の回転速度未満である、駆動軸と同じ回転速度で回転する。駆動軸管は、カニューレを取り付けたモータ軸を通って延在し得る。加えて、封止部材は、（より速く回転する）モータ軸とモータとの間ではなく、（より遅く回転する）駆動軸管とモータとの間で封止するように提供され得る。例えば、封止部材は、カニューレを取り付けたモータ軸を越えて延在する駆動軸管の一部分の外側表面とモータハウジングとの間に画定される間隙内に提供され得る。
【０００６】
例えば、本発明の１つの実施形態による外科用装置は、カニューレを取り付けたモータ軸を有するモータと、ギヤボックス装置と、駆動軸と、駆動軸管と、封止部材とを含み得る。駆動軸は、ギヤボックス装置を介してカニューレを取り付けたモータ軸に連通接続され得る。駆動軸は、ギヤボックス装置から遠位に延在することができ、カニューレを取り付けたモータ軸は、ギヤボックス装置へと遠位に延在することができる。加えて、カニューレを取り付けたモータ軸及び駆動軸は、共通の回転軸を有してよい。加えて、駆動軸管は、駆動軸に連結され、ギヤボックス装置からカニューレを取り付けたモータ軸を通り、カニューレを取り付けたモータ軸の近位端を越えて近位に延在することができる。封止部材は、カニューレを取り付けたモータ軸の近位端に隣接して配置され、駆動軸管とモータとの間に封止を提供し得る。
【０００７】
必要に応じて、外科用装置は、カニューレを取り付けたモータ軸の近位端に隣接して配置される支持部材を含み得る。駆動軸管は、空隙が駆動軸管とカニューレを取り付けたモータ軸との間に提供されるように、支持部材上に装着することができる。例えば、支持部材は、玉軸受であってよい。
【０００８】
いくつかの実施形態において、ギヤボックス装置は、カニューレを取り付けたモータ軸のより高い回転速度を駆動軸のより低い回転速度に変換するように構成され得る。
【０００９】
加えて、駆動軸管は、駆動軸管が駆動軸のより低い回転速度で回転するように構成されるように、駆動軸に連結され得る。あるいは、駆動軸管及び駆動軸は、駆動軸管が駆動軸のより低い回転速度で回転するように構成されるように、単一片の材料から形成され得る。
【００１０】
加えて、封止部材の少なくとも一部分が、駆動軸管の外側表面に接触し得る。例えば、封止部材は、コンセントリックリング及びリップを備え得る。リップは、コンセントリックリングから半径方向に延在し得、コンセントリックリングは、駆動軸管の外側表面の周囲に配設され得、リップの少なくとも一部分は、駆動軸管の外側表面に接触し得る。
【００１１】
いくつかの実施形態において、外科用装置は、モータを支持するモータハウジングを備え得る。間隙が、モータハウジングの近位部分の内側表面と駆動軸管の外側表面との間に提供され得、封止部材及び支持部材のうちの少なくとも１つが、間隙内に配設され得る。
【００１２】
別の実施形態において、外科用装置とともに使用するための封止システムは、カニューレを取り付けたモータ軸を通って延在する、駆動軸に連結される細長い駆動軸管と、細長い駆動軸管の少なくとも一部分と接触して配設される封止部材とを含み得る。加えて、細長い駆動軸管は、駆動軸の回転速度で回転するように構成され得る。
【００１３】
必要に応じて、カニューレを取り付けたモータ軸は、近位端及び遠位端を有し得、細長い駆動軸管の少なくとも一部分は、カニューレを取り付けたモータ軸の近位端を越えて延在し得、封止部材は、カニューレを取り付けたモータ軸の近位端を越えて延在する細長い駆動軸管の一部分と接触して配設され得る。
【００１４】
いくつかの実施形態において、駆動軸の回転速度は、およそ３，０００ＲＰＭ以下であり得る。
【００１５】
加えて、細長い駆動軸管は、駆動軸に一体的に連結され得る。
【００１６】
別の方法としては、又は加えて、細長い駆動軸管及び駆動軸は、単一片の材料から形成され得る。
【００１７】
例えば、封止部材は、コンセントリックリング及びリップを備え得る。リップは、コンセントリックリングから半径方向に延在し得、コンセントリックリングは、駆動軸管の外側表面の周囲に配設され得、リップの少なくとも一部分は、駆動軸管の外側表面に接触し得る。
【００１８】
なお別の実施形態において、外科用装置の製造方法は、カニューレを取り付けたモータ軸を備えるモータを提供することと、ギヤボックス装置を提供することと、駆動軸を提供することと、封止部材を提供することとを含み得る。駆動軸は、ギヤボックス装置を介してカニューレを取り付けたモータ軸に連通接続され得る。駆動軸は、ギヤボックス装置から遠位に延在し得、カニューレを取り付けたモータ軸は、ギヤボックス装置へと遠位に延在し得る。加えて、カニューレを取り付けたモータ軸及び駆動軸は、共通の回転軸を有し得る。加えて、駆動軸管は、駆動軸に連結され、ギヤボックス装置からカニューレを取り付けたモータ軸を通って、カニューレを取り付けたモータ軸の近位端を越えて近位に延在し得る。封止部材は、カニューレを取り付けたモータ軸の近位端に隣接して配置され、駆動軸管とモータとの間に封止を提供し得る。
【００１９】
本方法は、カニューレを取り付けたモータ軸の近位端に隣接する支持部材を提供することも含み得る。駆動軸管は、空隙が駆動軸管とカニューレを取り付けたモータ軸との間に提供されるように、支持部材上に装着され得る。
【００２０】
いくつかの実施形態において、ギヤボックス装置は、カニューレを取り付けたモータ軸のより高い回転速度を駆動軸のより低い回転速度に変換するように構成され得る。
【００２１】
加えて、封止部材の少なくとも一部分は、駆動軸管の外側表面に接触し得る。例えば、封止部材は、コンセントリックリング及びリップを備え得る。リップは、コンセントリックリングから半径方向に延在し、コンセントリックリングは、駆動軸管の外側表面の周囲に配設され得、リップの少なくとも一部分は、駆動軸管の外側表面に接触し得る。
【００２２】
いくつかの実施形態において、本方法は、モータを支持するモータハウジングを提供することを含み得る。間隙が、モータハウジングの近位部分の内側表面と駆動軸管の外側表面との間に提供され得、封止部材及び支持部材のうちの少なくとも１つは、間隙内に配設され得る。
【００２３】
他のシステム、方法、特徴、及び／又は利点は、以下の図面及び詳述を考察すれば、当業者には明らかになるであろう。そのような付加的システム、方法、特徴、及び／又は利点の全てが本説明に含まれ、添付される「特許請求の範囲」によって保護されるものである。
【図面の簡単な説明】
【００２４】
図面中の構成要素は、必ずしも必ずしも縮尺通りではない。同じ参照番号は、複数の図を通して対応する部分を指す。
【図１】外科用装置の断面図。
【図２】外科用装置の別の断面図。
【図３Ａ】図１及び２の外科用装置の近位部分の断面図。
【図３Ｂ】図３Ａの線Ｉ−Ｉ’による外科用装置の近位部分の断面図。
【図４】関連技術における外科用装置内のモータ軸の断面図。
【発明を実施するための形態】
【００２５】
特に定義されない限り、本明細書で用いる技術的及び科学的な用語は全て、当業者によって共通に解釈されるものと同じ意味を有する。本開示を実施又は試験するうえで、本明細書に記載されるものと同様又は同等のいかなる方法及び材料も使用し得る。外科用動力工具内で信頼性のある封止を提供するための実施形態が記載される一方で、実施形態がそれに限定されず、他の型の動力工具にも適用可能であり得ることが、当業者には明白となるであろう。
【００２６】
ここで図１及び２を参照すると、外科用装置１００の断面図が示される。外科用装置１００は、様々な外科的処置中に使用される動力工具である。外科用装置１００は、近位端１０５と遠位端１０３とを有し、また外科用装置１００は、内部構成要素を収容する装置ケーシング１１８を有する。外科用装置１００は、モータ１０２を備える。モータ１０２は、モータ１０２を支持するモータハウジング１１６及び細長いモータ軸１０６を含む。モータハウジング１１６は、定置されており、モータ軸１０６は、回転することができる。図１及び２に示されるように、モータハウジング１１６の近位部分は、末端部品１５０を収納する。末端部品１５０は、装置ケーシング１１８を定位置に保持する。例えば、末端部品１５０は、モータハウジング１１６の中にねじ止めされ得る。本明細書で論じられる実施形態において、モータ１０２は、医療用器具を駆動するように動作可能である、いずれの型の電気モータであり得る。モータ１０２の特性が、外科用装置１００の所望の動作特性に基づいて選択され得ることが理解されるべきである。例えば、外科用ドリル、鋸等の１つ又は２つ以上の外科用器具アタッチメントは、連結ヘッド１３０を介して外科用装置１００に取り付けられ得る。いくつかの実施形態において、連結ヘッド１３０は、外科用器具を収納する付加的駆動アタッチメントを収納し得る。例えば、付加的駆動アタッチメントは、推進力を外科用器具に変換／伝達し得る。加えて、外科用装置１００は、Ｋワイヤを駆動するように動作可能である。具体的には、Ｋワイヤを収納するＫワイヤアタッチメントは、連結ヘッド１３０を介して外科用装置１００に取り付けられ得る。図２に示されるように、操作者は、外科用装置１００のハンドル１２０を握り、トリガー１２２を使用してモータ１０２を操作し得る。例えば、トリガー１２２のうちの１つは、モータ１０２を第１の方向（即ち、順方向）に回転させることができ、トリガー１２２のうちの別の１つは、モータ１０２を第２の方向（即ち、逆方向）に回転させることができる。
【００２７】
モータ１０２は、細長いモータ軸１０６を含み、細長いモータ軸１０６は、ギヤボックス装置１０４を介して細長い駆動軸１０８に連通接続される。図１及び２に示されるように、モータ軸１０６は、モータ１０２を通ってギヤボックス装置１０４へと遠位に延在する。ギヤボックス装置１０４は、駆動軸１０８にモータ軸１０６の回転速度及び回転力を変換及び伝達するように構成される。典型的に、外科用動力工具内で使用するための好適なモータは、比較的小さく、かつ軽量であることを要する。より小さく、より軽く、かつより強力なモータは、より高い速度を要求することが理解されるべきである。ゆえに、モータ１０２は、所望の出力回転力を得るために、取り付け可能な外科用器具の所望の回転速度より高い回転速度で回転し、ギヤボックス装置１０４は、モータ軸１０６の回転速度及び回転力を駆動軸１０８に変換及び伝達するように使用され得る。例えば、いくつかの実施形態において、モータ軸１０６は、およそ１５，０００〜２０，０００ＲＰＭで回転することができる一方で、駆動軸１０８の所望の回転速度は、およそ３，０００ＲＰＭ（即ち、モータ軸１０６より５〜６倍遅い）である場合がある。別の方法としては、又は加えて、付加的駆動アタッチメントは、回転速度を外科用器具の所望の回転速度に更に減速し得、回転速度はおよそ１，０００ＲＰＭ以下である場合がある。更に、付加的駆動アタッチメントは、例えばバール等の高速切削器具を駆動するために、回転速度を外科用器具の所望の回転速度に加速し得（例えば１５，０００ＲＰＭ）、回転速度は、駆動軸１０８の回転速度をほぼ超える場合もある。モータ１０２、モータ軸１０６、駆動軸１０８、外科用器具等について上述の回転速度は、外科用装置１００の所望の動作特性に基づいて選択され得、ゆえに他の値を有し得ることが理解されるべきである。例えば、駆動軸１０８の所望の回転速度は、外科用装置１００の所望の動作特性に応じて、３，０００ＲＰＭ以上又は未満であり得る。したがって、駆動軸１０８の所望の回転速度は、３，０００ＲＰＭに限定されず、これは１つの例示的な所望の回転速度に過ぎない。
【００２８】
ギヤボックス装置１０４は、１つ又は２つ以上の工程でモータ１０２の回転速度及び回転力を変換及び伝達することができる、いずれの型のギヤボックスであり得る。例えば、ギヤボックス装置１０４は、遊星歯車システムであり得る。例えば、モータ軸１０６は、太陽歯車１０４Ａに接続され得、駆動軸１０８は、１つ又は２つ以上の遊星歯車１０４Ｂに接続され得る。いくつかの実施形態において、駆動軸１０８は、駆動軸１０８を通って、かつ遊星歯車１０４Ｂの中へと押されるピン（複数可）１０４Ｃを使用して、１つ又は２つ以上の遊星歯車１０４Ｂと接続され得る。あるいは、駆動軸１０８は、駆動軸１０８と一体であるピン１０４Ｃを使用して、１つ又は２つ以上の遊星歯車１０４Ｂと接続され得る。ゆえに、ギヤボックス装置１０４は、モータ軸１０６のより高い回転速度を駆動軸１０８のより低い回転速度に変換する。加えて、ギヤボックス装置１０４は、回転力をモータ軸１０６から駆動軸１０８に伝達する。いくつかの実施形態において、モータ軸１０６のより低い回転力は、より高い回転力に変換され、駆動軸１０８に伝達される。
【００２９】
図１及び２に示されるように、モータ軸１０６及び駆動軸１０８は、インラインである。加えて、モータ軸１０６は、モータ１０２を通ってギヤボックス装置１０４へと遠位に延在し、駆動軸１０８は、ギヤボックス装置１０４から遠位に延在する。本明細書で論じられる実施形態において、モータ軸１０６及び駆動軸１０８は、同軸であり、又は例えば、共通の回転軸１０１を共有する。モータ軸１０６及び駆動軸１０８が同軸であるとき、外科用装置１００は、モータ軸１０６及び駆動軸１０８が共通の回転軸１０１を共有しない場合と比較して、より小さくされ得る。加えて、モータ軸１０６及び駆動軸１０８は、カニューレを取り付けた軸であり得る。換言すれば、モータ軸１０６及び駆動軸１０８は、それぞれの軸の全長を通って延在する中空の中心チャネルを有し得る。上述のように、外科用装置１００は、Ｋワイヤを駆動するように動作可能であり、Ｋワイヤは、典型的に、外科用装置１００自体よりも長い。結果的に、Ｋワイヤは、外科用装置１００を通って（即ち、遠位端１０３から近位端１０５へと）全体的に挿入され得、外科用装置１００の装置ハウジング１１８を通って出る。
【００３０】
駆動軸管１１０は、駆動軸１０８に連結され得る。駆動軸管１１０は、ギヤボックス装置１０４から近位に延在し得る。例えば、駆動軸管１１０は、ギヤボックス装置１０４からモータ軸１０６の中へと近位に延在し得る。モータ軸１０６がカニューレを取り付けられると、駆動軸管１１０は、モータ軸１０６の中空のチャネルを通って延在し得る。具体的には、駆動軸管１１０は、モータ軸１０６を通って、かつモータ軸１０６の近位端を越えて延在し得る。例えば、駆動軸管１１０の一部分は、モータ軸１０６の近位端を越えて近位に延在し得る。図１及び２に示されるように、駆動軸管１１０は、ギヤボックス装置１０４からモータ軸１０６の全長を通って近位に延在する。モータ軸１０６及び駆動軸１０８と同様に、駆動軸管１１０は、外科用装置１００を通るＫワイヤの挿入を収納するためにカニューレを取り付けられ得る。加えて、駆動軸管１１０は、共通の回転軸１０１をモータ軸１０６及び駆動軸１０８と共有し得る。
【００３１】
駆動軸管１１０は、駆動軸管１１０が駆動軸１０８と同じ回転速度で回転することができるように、駆動軸１０８に連結され得る。いくつかの実施形態において、駆動軸管１１０及び駆動軸１０８は、例えば、ギヤボックス装置１０４に隣接する場所で、合わせて一体的に連結される別個の部品である。他の実施形態において、駆動軸管１１０及び駆動軸１０８は、単一の統合された（即ち、単一片の材料から形成される）部品である。上述の両方の場合において、駆動軸管１１０及び駆動軸１０８は、同じ回転速度で回転することができる。具体的には、駆動軸管１１０は、モータ軸１０６と比較してより低い回転速度で回転することができる。加えて、駆動軸管１１０及び駆動軸１０８は、流体が駆動軸管１１０及び／又は駆動軸１０８の中空のチャネルからモータ１０２へと漏出する間隙又は空隙がないように連結される。必要に応じて、駆動軸１０８の壁部の厚さは、回転力がモータ軸１０６から駆動軸１０８に伝達されるため、駆動軸管１１０の壁部の厚さを超え得るが、一方で駆動軸管１１０上には本質的に回転力がない。
【００３２】
封止部材１１２は、流体がモータ１０２の中に漏出することを防止するようにモータ軸１０６の近位端に隣接して提供され得る。いくつかの実施形態において、封止部材１１２は、モータハウジング１１６と駆動軸管１１０との間に提供され得る。あるいは、他の実施形態において、封止部材１１２は、末端部品１５０と駆動軸管１１０との間に提供され得る。ここで図３Ａを参照すると、間隙１２４は、定置のモータハウジング１１６の近位部分と、回転することができる駆動軸管１１０との間に提供される。間隙１２４は、モータ軸１０６の近位端を越えて延在する駆動軸管１１０の一部分を囲繞する、環状リングであり得る。あるいは、間隙１２４は、モータ軸１０６の近位端を越えて延在する駆動軸管１１０の一部分を囲繞する任意の形状を有する空隙であり得る。具体的には、間隙１２４は、モータハウジング１１６の近位部分の内側表面１１６Ａと、駆動軸管１１０の外側表面１１０Ａとの間に提供される。間隙１２４は、駆動軸管１１０が回転し得る隙間（又は空隙）を提供する。流体が間隙１２４を通って漏出することを阻止するため、封止部材１１２は、間隙１２４内に提供され得る。封止部材１１２の少なくとも一部分は、駆動軸管１１０の外側表面１１０Ａに接触し得る。駆動軸管１１０の外側表面１１０Ａに接触する封止部材１１２の一部分は、駆動軸管１１０の外側表面１１０Ａ全体の周囲に円周方向に延在し得る。例えば、封止部材１１２は、リップ封止、Ｏリング、又は他の任意の型の封止であり得る。封止部材１１２は、例えばゴム（即ち、ＮＢＲ、シリコーン等）のように、流体がモータ１０２の中に漏出することを阻止するために好適ないずれの型の材料からも作製され得る。
【００３３】
封止部材１１２は、駆動軸管１１０の外側表面１１０Ａの周囲に提供され得る。例えば、図３Ａ及び３Ｂを参照すると、封止部材１１２は、コンセントリックリング１１２Ａ及びリップ１１２Ｂを有し得る。リップ１１２Ｂは、コンセントリックリング１１２Ａから半径方向に延在し得、リップ１１２Ｂは、コンセントリックリング１１２Ａから先細であり得る。リップ１１２Ｂを先細にすることによって、駆動軸管１１０の外側表面１１０Ａに接触するリップ１１２Ｂの一部分は、低減され得る。コンセントリックリング１１２Ａは、リップ１１２Ｂの少なくとも一部分が駆動軸管１１０の外側表面１１０Ａに接触するように、駆動軸管１１０の外側表面１１０Ａの周囲に提供され得る。ゆえに、封止部材１１２は、流体がモータ１０２の中に漏出することを阻止する。
【００３４】
封止部材１１２に加えて、支持部材１１４が、モータ軸１０６の近位端に隣接して提供され得る。いくつかの実施形態において、支持部材１１４は、モータハウジング１１６と駆動軸管１１０との間に提供され得る。あるいは、別の実施形態において、支持部材１１４は、末端部品１５０と駆動軸管１１０との間に提供され得る。例えば、支持部材１１４は、モータハウジング１１６の近位部分と駆動軸管１１０との間に提供される間隙１２４内に提供され得、そして封止部材１１２とモータ軸１０６の近位端との間に配設され得る。駆動軸管１１０は、支持部材１１４を介して装着され得る。支持部材１１４は、駆動軸管１１０がモータ軸１０６に接触しないように、駆動軸管１１０のための支持を提供する。上述のように、モータ軸１０６は、駆動軸管１１０よりも高い回転速度で回転し得る。したがって、駆動軸管１１０及びモータ軸１０６は、接触しないはずである。図３Ａに示されるように、空隙１２６は、駆動軸管１１０とモータ軸１０６との間に提供される。具体的には、空隙１２６は、駆動軸管１１０の外側表面１１０Ａとモータ軸１０６の内側表面との間に提供される。空隙１２６は、例えば、駆動軸管１１０の外側表面１１０Ａの周囲に延在する環状リングであり得る。支持部材１１４は、駆動軸管１１０とモータ軸１０６との間に空隙１２６を維持するように構成され得る。加えて、支持部材１１４は、駆動軸管１１０が支持部材１１４内で回転することを可能にする。例えば、支持部材１１４は、玉軸受であり得る。
【００３５】
上述の（外科用装置１００の近位端付近に提供される）封止部材１１２及び支持部材１１４と同様に、遠位の封止部材１３２及び遠位の支持部材１３４は、外科用装置１００の遠位端付近に提供され得る。例えば、図１及び２に示されるように、遠位の封止部材１３２及び遠位の支持部材１３４は、駆動軸１０８の遠位端に隣接して提供され得る。遠位の封止部材１３２及び遠位の支持部材１３４は、外科用装置１００の定置の構成要素と、回転し得る駆動軸１０８との間の空隙内に提供され得る。遠位の支持部材１３４は、例えば、玉軸受であり得、駆動軸１０８のための支持を提供し得るが、一方で駆動軸１０８が遠位の支持部材１３４内で回転することを可能にする。加えて、遠位の封止部材１３２は、例えば、リップ封止であり得、流体が駆動軸１０８とモータ１０２との間に漏出することを阻止し得る。
【００３６】
本明細書で論じられる実施形態によれば、外科用装置内により信頼性のある封止を提供することは可能である。例えば、封止部材が（より速く回転する）モータ軸とモータとの間ではなく、（より遅く回転する）駆動軸管とモータとの間で封止するため、より信頼性のある封止が提供される。加えて、付加的封止部材がモータ軸と駆動軸との間で封止するように要求されないため、外科用装置のモータを保護するために必要とされる封止部材の数を低減することは可能である。より速く回転する（より低い回転力の）モータ軸でよりも、より遅く回転する（より高い回転力の）駆動軸管での方が存在する摩擦が少ないため、モータでの抗力モーメントを低減することも可能である。更に、Ｋワイヤと駆動軸管との間の速度差を低減することによって、Ｋワイヤ及び回転軸の両方でのノイズ及び摩耗を低減することが可能である。
【００３７】
主題は、構造的特徴及び／又は方法論的行為に特有な言語で記載されたが、添付される「特許請求の範囲」において定義される主題が上記の特定の特徴又は行為に必ずしも限定されるものではないことが理解されるべきである。むしろ、上記の特定の特徴及び行為は、「特許請求の範囲」を実施する例示的形態として開示される。
【００３８】
〔実施の態様〕
（１）  外科用装置であって、
カニューレを取り付けたモータ軸（cannulated motor shaft）を備えるモータであって、前記カニューレを取り付けたモータ軸が近位端及び遠位端を有する、モータと、
ギヤボックス装置と、
前記ギヤボックス装置を介して前記カニューレを取り付けたモータ軸に連通接続される駆動軸であって、前記ギヤボックス装置から遠位に延在し、前記カニューレを取り付けたモータ軸が前記ギヤボックス装置へと遠位に延在し、前記カニューレを取り付けたモータ軸及び前記駆動軸が、共通の回転軸を有する、駆動軸と、
前記ギヤボックス装置から前記カニューレを取り付けたモータ軸を通り、前記カニューレを取り付けたモータ軸の前記近位端を越えて近位に延在する、前記駆動軸に連結される駆動軸管と、
前記カニューレを取り付けたモータ軸の前記近位端に隣接して配置される封止部材であって、前記駆動軸管と前記モータとの間に封止を提供する、封止部材と、を備える、外科用装置。
（２）  前記カニューレを取り付けたモータ軸の前記近位端に隣接して配置される支持部材を更に備え、前記駆動軸管が、空隙が前記駆動軸管と前記カニューレを取り付けたモータ軸との間に提供されるように、前記支持部材上に装着される、実施態様１に記載の外科用装置。
（３）  前記支持部材が玉軸受である、実施態様２に記載の外科用装置。
（４）  前記ギヤボックス装置が、前記カニューレを取り付けたモータ軸のより高い回転速度を前記駆動軸のより低い回転速度に変換するように構成される、実施態様１に記載の外科用装置。
（５）  前記駆動軸管が、前記駆動軸管が前記駆動軸の前記より低い回転速度で回転するように構成されるように、前記駆動軸に連結される、実施態様４に記載の外科用装置。
【００３９】
（６）  前記駆動軸管及び前記駆動軸が、前記駆動軸管が前記駆動軸の前記より低い回転速度で回転するように構成されるように、単一片の材料から形成される、実施態様４に記載の外科用装置。
（７）  前記封止部材の少なくとも一部分が、前記駆動軸管の外側表面に接触する、実施態様１に記載の外科用装置。
（８）  前記封止部材がコンセントリックリング及びリップを備え、前記リップが前記コンセントリックリングから半径方向に延在し、前記コンセントリックリングが前記駆動軸管の外側表面の周囲に配設され、前記リップの少なくとも一部分が前記駆動軸管の前記外側表面に接触する、実施態様７に記載の外科用装置。
（９）  前記モータを支持するモータハウジングを更に備え、間隙が、前記モータハウジングの近位部分の内側表面と前記駆動軸管の前記外側表面との間に画定され、前記封止部材及び前記支持部材のうちの少なくとも１つが、前記間隙内に配設される、実施態様７に記載の外科用装置。
（１０）  外科用装置とともに使用するための封止システムであって、前記外科用装置が、ギヤボックス装置を介して駆動軸に連通接続されるカニューレを取り付けたモータ軸を有するモータを含み、前記駆動軸が、前記ギヤボックス装置から遠位に延在し、前記カニューレを取り付けたモータ軸が、前記ギヤボックス装置へと遠位に延在し、前記封止システムが、
前記カニューレを取り付けたモータ軸を通って延在する、前記駆動軸に連結される細長い駆動軸管と、
前記細長い駆動軸管の少なくとも一部分と接触して配設される封止部材であって、前記細長い駆動軸管が、前記駆動軸の回転速度で回転するように構成される、封止部材と、を備える、封止システム。
【００４０】
（１１）  前記カニューレを取り付けたモータ軸が近位端及び遠位端を有し、前記細長い駆動軸管の少なくとも一部分が、前記カニューレを取り付けたモータ軸の前記近位端を越えて延在し、前記封止部材が、前記カニューレを取り付けたモータ軸の前記近位端を越えて延在する前記細長い駆動軸管の前記一部分と接触して配設される、実施態様１０に記載の封止システム。
（１２）  前記駆動軸の前記回転速度が、およそ３，０００ＲＰＭ以下である、実施態様１０に記載の封止システム。
（１３）  前記細長い駆動軸管が、前記駆動軸に一体的に連結される、実施態様１０に記載の封止システム。
（１４）  前記細長い駆動軸管及び前記駆動軸が、単一片の材料から形成される、実施態様１３に記載の封止システム。
（１５）  前記封止部材がコンセントリックリング及びリップを備え、前記リップが前記コンセントリックリングから半径方向に延在し、前記コンセントリックリングが前記細長い駆動軸管の外側表面の周囲に配設され、前記リップの少なくとも一部分が前記細長い駆動軸管の前記外側表面に接触する、実施態様１０に記載の封止システム。
【００４１】
（１６）  外科用装置の製造方法であって、
カニューレを取り付けたモータ軸を備えるモータを提供することであって、前記カニューレを取り付けたモータ軸が近位端及び遠位端を画定する、提供することと、
ギヤボックス装置を提供することと、
前記ギヤボックス装置を介して前記カニューレを取り付けたモータ軸に連通接続される駆動軸を提供することであって、前記駆動軸が前記ギヤボックス装置から遠位に延在し、前記カニューレを取り付けたモータ軸が前記ギヤボックス装置へと遠位に延在し、前記カニューレを取り付けたモータ軸及び前記駆動軸が、共通の回転軸を有する、提供することと、
前記ギヤボックス装置から前記カニューレを取り付けたモータ軸を通り、前記カニューレを取り付けたモータ軸の前記近位端を越えて近位に延在する、前記駆動軸に連結される駆動軸管を提供することと、
前記カニューレを取り付けたモータ軸の前記近位端に隣接する封止部材を提供することであって、前記封止部材が、前記駆動軸管と前記モータとの間に封止を提供する、提供することと、を含む、方法。
（１７）  前記カニューレを取り付けたモータ軸の前記近位端に隣接する支持部材を提供することを更に含み、前記駆動軸管が、空隙が前記駆動軸管と前記カニューレを取り付けたモータ軸との間に提供されるように、前記支持部材上に装着される、実施態様１６に記載の方法。
（１８）  前記ギヤボックス装置が、前記カニューレを取り付けたモータ軸のより高い回転速度を前記駆動軸のより低い回転速度に変換するように構成される、実施態様１６に記載の方法。
（１９）  前記封止部材がコンセントリックリング及びリップを備え、前記リップが前記コンセントリックリングから半径方向に延在し、前記コンセントリックリングが前記駆動軸管の外側表面の周囲に配設され、前記リップの少なくとも一部分が前記駆動軸管の前記外側表面に接触する、実施態様１６に記載の方法。
（２０）  前記モータを支持するモータハウジングを提供することを更に含み、間隙が、前記モータハウジングの近位部分の内側表面と前記駆動軸管の前記外側表面との間に画定され、前記封止部材及び前記支持部材のうちの少なくとも１つが、前記間隙内に配設される、実施態様１６に記載の方法。
【図１】
2014004374.tif 000003
【図２】
2014004374.tif 000004
【図３Ａ】
2014004374.tif 000005
【図３Ｂ】
2014004374.tif 000006
【図４】
2014004374.tif 000007
【外国語明細書】
2014004374000001.pdf